(57)【要約】      （修正有）【課題】建築、土木などの工事現場を囲う仮設壁を緑化するのに好適で組立が容易な仮囲い緑化パネルを提供する。【解決手段】仮囲い用壁面部材１１の表側から開口部１１Ａの上方位置に上側ボルトを挿通するとともに、開口部の下方位置に下側ボルトを挿通し、上側ボルトに枠体１２の上端部を挿通して第１の上側ナットで締め付け固定し、下側ボルトに枠体の下端部を挿通するとともに、水受け１３の上端部を挿通して第１の下側ナットで締め付け固定し、仮囲い用壁面部材１１にボルトとナットによって簡単かつ確実に枠体１２と水受け１３を取り付けることができる。さらに、上側ボルトに緑化マット１４の上端部に設けた環状金具と、保水マット１５の上端部に設けた環状金具と、押さえ部材の上端部とを順に挿通して第２の上側ナットで締め付け固定し、下側ボルトに保水マットの下端部の切り込みと、押さえ部材１６の下端部とを順に挿通して第２の下側ナットで締め付け固定し、保水マットの下端部を水受けの内部位置まで延出させ、仮囲い用壁面部材に枠体と水受けを取り付けるボルトとナットを利用して簡単かつ確実に緑化マット１４と保水マット１５を取り付けることができる。【選択図】図３
0003159897.tif 000002
【実用新案登録請求の範囲】
【請求項１】
開口部を形成した仮囲い用壁面部材と、
前記仮囲い用壁面部材の裏側から前記開口部の全面を覆うように配置されるメッシュを有する枠体と、
前記枠体の下端部に配置される水受けと、
植栽物の葉の側を前記開口部から前記仮囲い用壁面部材の表側に露出させて前記枠体の裏側に配置される緑化マットと、
保水性のある不織布からなり前記緑化マットの裏側に配置される保水マットと、
複数の孔を有する板状部材からなり前記保水マットの裏側に配置される押さえ部材と、を有し、
前記仮囲い用壁面部材の表側から前記開口部の上方位置に上側ボルトを挿通するとともに、前記開口部の下方位置に下側ボルトを挿通し、
前記上側ボルトに前記枠体の上端部を挿通して第１の上側ナットで締め付け固定し、
前記下側ボルトに前記枠体の下端部を挿通するとともに、前記水受けの上端部を挿通して第１の下側ナットで締め付け固定し、
さらに、前記上側ボルトに前記緑化マットの上端部に設けた環状金具と、前記保水マットの上端部に設けた環状金具と、前記押さえ部材の上端部とを順に挿通して第２の上側ナットで締め付け固定し、
前記下側ボルトに前記保水マットの下端部の切り込みと、前記押さえ部材の下端部とを順に挿通して第２の下側ナットで締め付け固定し、
前記保水マットの下端部を前記水受けの内部位置まで延出させたことを特徴とする仮囲い緑化パネル。
【請求項２】
前記保水マットの上端部から水を供給する水供給装置を備えることを特徴とする請求項１に記載の仮囲い緑化パネル。
【考案の詳細な説明】
【技術分野】
【０００１】
この考案は、建築、土木などの工事現場を囲う仮設壁を緑化するのに好適な仮囲い緑化パネルに関するものである。
【背景技術】
【０００２】
従来、工事現場の仮囲いの緑化は、フラットパネルなどにプランタを引っ掛けたり、仮囲い前にプランタを股置する場合が多いが、プランタ型の場合、フラットパネルの板面からとび出るし、仮囲いの表側から水やりを行う必要がある。
【０００３】
また、例えば、フラットパネルの板面に壁面緑化が行われる場合があるが、本設に使われるような高価な壁面緑化システムを採用しているため、潅水設備や取付け機材が大掛かりであり、仮設として使用するには大規模なシステムとなっている。
【０００４】
このような本設の緑化システムの場合、仮囲いの裏面に大掛かりな潅水や士台等の設備が必要であり、仮設に向いていない。
【０００５】
また、例えば、仮囲い用壁面部材に開口部を設け、この開口部に、トレー状又は袋状の植栽物支持体の略全面に網状の骨材と培土とを収容し、かつ植栽物支持体の一面から植栽部材を、植栽物の葉の側を開口部から仮囲い用壁面部材の表側に露出させて仮囲い用壁面部材に担持させたものがある（特許文献１）。
【０００６】
また、板状部分に窓を開設し、窓の裏面側に緑化用ポットを収納するポット収納部を着脱可能に設けることにより、ポット収納部並びにこれに収納した緑化用のポットが仮囲い用パネルの表面から突出しないようにしたものがある（特許文献２）。
【先行技術文献】
【特許文献】
【０００７】
【特許文献１】特開２００９−２４７３００号公報
【特許文献２】特開２００９−９１８７０号公報
【考案の概要】
【考案が解決しようとする課題】
【０００８】
このように、仮囲い用壁面部材に開口部を設け、この開口部によって緑化するものでは、緑化する部材を予め組み付けて取り付けるために、部材ごとに交換する場合などには手数と、コストがかかり、緑化のメンテナンスに問題がある。
【０００９】
また、板状部分に窓を開設し、窓の裏面側に緑化用ポットを収納するポット収納部を着脱可能に設けるものでは、多くの緑化用ポットを収納することができず、緑化面積の確保には一定の限界がある。
【００１０】
この考案は、かかる点に鑑みてなされたもので、簡単な構造で緑化面積を確保でき、現場で容易に組み立てを行うことができ、しかも植物が枯れた場合などには緑化マットの取り替が容易で、建築、土木などの工事現場を囲う仮設壁を緑化するのに好適な仮囲い緑化パネルを提供することを目的としている。
【課題を解決するための手段】
【００１１】
前記課題を解決し、かつ目的を達成するために、この考案は、以下のように構成した。      
【００１２】
請求項１に記載の考案は、開口部を形成した仮囲い用壁面部材と、
前記仮囲い用壁面部材の裏側から前記開口部の全面を覆うように配置されるメッシュを有する枠体と、
前記枠体の下端部に配置される水受けと、
植栽物の葉の側を前記開口部から前記仮囲い用壁面部材の表側に露出させて前記枠体の裏側に配置される緑化マットと、
保水性のある不織布からなり前記緑化マットの裏側に配置される保水マットと、
複数の孔を有する板状部材からなり前記保水マットの裏側に配置される押さえ部材と、を有し、
前記仮囲い用壁面部材の表側から前記開口部の上方位置に上側ボルトを挿通するとともに、前記開口部の下方位置に下側ボルトを挿通し、
前記上側ボルトに前記枠体の上端部を挿通して第１の上側ナットで締め付け固定し、
前記下側ボルトに前記枠体の下端部を挿通するとともに、前記水受けの上端部を挿通して第１の下側ナットで締め付け固定し、
さらに、前記上側ボルトに前記緑化マットの上端部に設けた環状金具と、前記保水マットの上端部に設けた環状金具と、前記押さえ部材の上端部とを順に挿通して第２の上側ナットで締め付け固定し、
前記下側ボルトに前記保水マットの下端部の切り込みと、前記押さえ部材の下端部とを順に挿通して第２の下側ナットで締め付け固定し、
前記保水マットの下端部を前記水受けの内部位置まで延出させたことを特徴とする仮囲い緑化パネルである。
【００１３】
請求項２に記載の考案は、前記保水マットの上端部から水を供給する水供給装置を備えることを特徴とする請求項１に記載の仮囲い緑化パネルである。
【考案の効果】
【００１４】
前記構成により、この考案は、以下のような効果を有する。
【００１５】
請求項１に記載した考案では、仮囲い用壁面部材の表側から開口部の上方位置に上側ボルトを挿通するとともに、開口部の下方位置に下側ボルトを挿通し、上側ボルトに枠体の上端部を挿通して第１の上側ナットで締め付け固定し、下側ボルトに枠体の下端部を挿通するとともに、水受けの上端部を挿通して第１の下側ナットで締め付け固定し、仮囲い用壁面部材にボルトとナットによって簡単かつ確実に枠体と水受けを取り付けることができる。
【００１６】
さらに、上側ボルトに緑化マットの上端部に設けた環状金具と、保水マットの上端部に設けた環状金具と、押さえ部材の上端部とを順に挿通して第２の上側ナットで締め付け固定し、下側ボルトに保水マットの下端部の切り込みと、押さえ部材の下端部とを順に挿通して第２の下側ナットで締め付け固定し、保水マットの下端部を水受けの内部位置まで延出させ、仮囲い用壁面部材に枠体と水受けを取り付けるボルトとナットを利用して簡単かつ確実に緑化マットと保水マットを取り付けることができる。
【００１７】
また、上側ボルトに緑化マットの上端部に設けた環状金具と、保水マットの上端部に設けた環状金具と、押さえ部材の上端部とを順に挿通して第２の上側ナットで締め付け固定したから、上側ボルトと第２の上側ナットの締め付け力で緑化マットが必要以上に押圧されて植栽物の成長を害することを防止し、また保水マットの上端部が必要以上に押圧されて保水マットから緑化マットへの給水が妨げられることを防止する。
【００１８】
さらに、給水は保水マットの裏側に配置される押さえ部材側から行うことができると共に、保水マットの下端部を水受けの内部位置まで延出させたことで、水受けに溜まる水を保水マットが毛細管現象によって吸い上げて緑化マットへ給水することができる。
【００１９】
請求項２に記載した考案では、保水マットの上端部から水を供給する水供給装置を備えることで、保水マットの上部から水を自動的に供給することができ、潅水の回数を低減することができ、水の管理の手間を大幅に低減することができる。
【図面の簡単な説明】
【００２０】
【図１】仮囲い緑化パネルの斜視図である。
【図２】仮囲い緑化パネルの分解斜視図である。
【図３】仮囲い緑化パネルの断面図である。
【図４】仮囲い用壁面部材に枠体を組み付けた状態を示す図である。
【図５】枠体の平面図である。
【図６】水受けを示す図である。
【図７】緑化マットの平面図である。
【図８】保水マットの平面図である。
【図９】押さえ部材の平面図である。
【図１０】第２の実施の形態の仮囲い緑化パネルの断面図である。
【考案を実施するための形態】
【００２１】
以下、この考案の仮囲い緑化パネルの実施の形態について説明する。この考案の実施の形態は、考案の最も好ましい形態を示すものであり、この考案はこれに限定されない。
【００２２】
［第１の実施の形態］
まず、第１の実施の形態を、図１乃至図９に基づいて説明する。図１は仮囲い緑化パネルの斜視図、図２は仮囲い緑化パネルの分解斜視図、図３は仮囲い緑化パネルの断面図、図４は仮囲い用壁面部材に枠体を組み付けた状態を示す図、図５は枠体の平面図、図６は水受けを示す図、図７は緑化マットの平面図、図８は保水マットの平面図、図９は押さえ部材の平面図である。
【００２３】
この実施の形態の仮囲い緑化パネル１０は、仮囲い用壁面部材１１と、枠体１２と、水受け１３と、緑化マット１４と、保水マット１５と、押さえ部材１６とを有し、これらをボルトとナットによって組み立てて構成される。
【００２４】
仮囲い用壁面部材１１は、鋼板、樹脂パネルなど一般に使用されるフラットパネルを用いることができ、所定の位置に開口部１１Ａが形成される。この開口部１１Ａの周囲には、ボルト挿通孔１１Ｂが上端部に３箇所、下端部に３箇所、両側部に１箇所に形成されている。開口部１１Ａは、例えば、横３００ｍｍ×縦７５０ｍｍで繰り抜いて形成され、この部分が緑化面となる。繰り抜く位置は、どこでも問題ないが、例えば仮囲い用壁面部材１１の上部から３００ｍｍ下がった位置が仮囲い用壁面部材１１を組み付ける下地の単管に干渉することがないため望ましい。
【００２５】
枠体１２は、前面にメッシュ１２Ａを有し、このメッシュ１２Ａは縦、横に線材１２Ｂを設けることによって形成される。線材１２Ｂは、金属、樹脂などで形成される。枠体１２の周囲には、ボルト挿通孔１２Ｃが上端部に３箇所、下端部に３箇所、両側部に１箇所形成され、このボルト挿通孔１２Ｃは仮囲い用壁面部材１１のボルト挿通孔１１Ｂに対応した位置である。この枠体１２は、仮囲い用壁面部材１１の裏側から開口部１１Ａの全面を覆うように配置される。この実施の形態では、枠体１２が３００ｍｍ角の丸鋼の線材１２Ｂを溶接した鋼製枠で構成され、開口部１１Ａの部分に格子状の網日を付ける。線材１２Ｂの径は３ｍｍ程度が強度と美観上からみて良く、また、緑化の保護色となるよう深緑色が良い。
【００２６】
水受け１３は、鋼板または樹脂で形成され、枠体１２の下端部に配置される。この水受け１３の側部には排出口部１３Ａが形成され、上部にはボルト挿通孔１３Ｂが３箇所に形成され、このボルト挿通孔１３Ｂは枠体１２の下端部に形成されたボルト挿通孔１２Ｃに対応した位置である。
【００２７】
緑化マット１４は、植栽物の葉の側を開口部１１Ａから仮囲い用壁面部材１１の表側に露出させて枠体１２の裏側に配置される。この緑化マット１４は、上端部の３箇所に環状金具１４Ａが設けられ、この環状金具１４Ａは、枠体１２の上端部に形成されたボルト挿通孔１２Ｃに対応した位置である。環状金具１４Ａは、鳩目を設けて金属リングで補強した構成でもよい。また、緑化マット１４は、両側部にボルト挿通切り込み１４Ｂが形成され、このボルト挿通切り込み１４Ｂは、枠体１２の両側部に形成されたボルト挿通孔１２Ｃに対応した位置である。
【００２８】
緑化マット１４は、不織布に植物が定着させてあり、これを枠体１２の裏側に押しつけることで、枠体１２のメッシュ１２Ａから葉が飛び出して緑化面となる。植栽物には、キリンソウやメキシコマンエングサ等のセダム類を用い、セダム類を用いることで水やりや剪定等のメンテナンスを大幅に軽減することができる。
【００２９】
保水マット１５は、保水性のある不織布からなり緑化マット１４の裏側に配置され、保水マット１５は、水を蓄える他に緑化マット１４の裏の乾燥を防ぐ効果がある。この保水マット１５は、上端部の３箇所に環状金具１５Ａが設けられ、この環状金具１５Ａは、緑化マット１４の上端部に形成された環状金具１４Ａに対応した位置である。環状金具１５Ａは、鳩目を設けて金属リングで補強した構成でもよい。また、保水マット１５は、両側部にボルト挿通切り込み１５Ｂが形成され、このボルト挿通切り込み１５Ｂは、緑化マット１４の両側部に形成されたボルト挿通切り込み１４Ｂに対応した位置である。さらに、保水マット１５は、下端部を水受け１３の内部位置まで延出させた構成であり、この下端部には切り込み１５Ｃが形成されている。この切り込み１５Ｃには、ボルトが挿通されると共に、下端部の表面積を大きくして毛細管現象によって水受け１３から水を吸い上げやすくしている。
【００３０】
押さえ部材１６は、複数の孔１６Ａを有する板状部材からなり保水マット１５の裏側に配置され、この実施の形態ではパンチングプレートを用いている。押さえ部材１６の上端部の３箇所、下端部の３箇所、両側部の１箇所には、ボルト挿通孔１６Ｂが形成され、このボルト挿通孔１６Ｂは、保水マット１５の上端部に設けられた３箇所の環状金具１５Ａ、保水マット１５の両側部に形成されたボルト挿通切り込み１５Ｂ及び保水マット１５の下端部に形成された切り込み１５Ｃに対応した位置である。
【００３１】
次に、この実施の形態の仮囲い緑化パネル１０の組み立てについて説明する。
【００３２】
工事現場において、例えば鳶工が仮囲い用壁面部材１１を組み立てるが、この仮囲い用壁面部材１１を組み立てるときに、仮囲い用壁面部材１１の表側から開口部１１Ａの上方位置に上側ボルト２０Ａを挿通するとともに、開口部１１Ａの下方位置に下側ボルト２１Ａを挿通し、開口部１１Ａの両側位置に側部ボルト２２Ａを挿通する。
【００３３】
上側ボルト２０Ａに枠体１２の上端部のボルト挿通孔１２Ｃを挿通して第１の上側ナット２０Ｂで締め付け固定し、下側ボルト２１Ａに枠体１２の下端部のボルト挿通孔１２Ｃを挿通するとともに、水受け１３の上端部のボルト挿通孔１３Ｂを挿通して第１の下側ナット２１Ｂで締め付け固定し、側部ボルト２２Ａに枠体１２の両側部のボルト挿通孔１２Ｃを挿通して第１の側部ナット２２Ｂで締め付け固定し、仮囲い用壁面部材１１にボルトとナットによって簡単かつ確実に枠体１２と水受け１３を取り付けることができる。
【００３４】
この枠体１２と水受け１３の取付が終了すると、さらに、上側ボルト２０Ａに緑化マット１４の上端部の環状金具１４Ａと、保水マット１５の上端部の環状金具１５Ａと、押さえ部材１６の上端部のボルト挿通孔１６Ｂとを順に挿通して第２の上側ナット２０Ｃで締め付け固定する。
【００３５】
同時に、側部ボルト２２Ａに緑化マット１４の両側部のボルト挿通切り込み１４Ｂと、保水マット１５の両側部のボルト挿通切り込み１５Ｂと、押さえ部材１６の両側部のボルト挿通孔１６Ｂとを順に挿通して第２の上側ナット２２Ｃで締め付け固定する。
【００３６】
さらに、同時に、下側ボルト２１Ａに保水マット１５の下端部の切り込み１５Ｃと、押さえ部材１６の下端部のボルト挿通孔１６Ｂとを順に挿通して第２の下側ナットで締め付け固定し、保水マット１５の下端部を水受け１３の内部位置まで延出させ、仮囲い用壁面部材１１に枠体１２と水受け１３を取り付けるボルトとナットを利用して簡単かつ確実に緑化マット１４と保水マット１５を取り付けることができる。
【００３７】
このように、緑化マット１４や保水マット１５の取付を、特殊な技術を有する緑化業者が行う必要がないので、例えば、宅急便などで緑化マット１４や保水マット１５などで送付して現場で取り付けてもよい。また、緑化マット１４の植栽物が枯れた場合、第２の上側ナット２０Ｃ、第２の下側ナット２１Ｃ、第２の側部ナット２２Ｃを取り外すことで、保水マット１５と緑化マット１４を取り外し、緑化マット１４を容易に取り替え、簡単に緑化面の交換ができる。
【００３８】
また、上側ボルト２０Ａに緑化マット１４の上端部に設けた環状金具１４Ａと、保水マット１５の上端部に設けた環状金具１５Ａと、押さえ部材１６の上端部のボルト挿通孔１６Ｂとを順に挿通して第２の上側ナット２０Ｃで締め付け固定したから、上側ボルト２０Ａと第２の上側ナット２０Ｃの締め付け力で緑化マット１４が必要以上に押圧されて植栽物の成長を害することを防止し、また保水マット１５の上端部が必要以上に押圧されて保水マット１５から緑化マット１４への給水が妨げられることを防止する。
【００３９】
さらに、緑化面への水やりは、現場の外に廻って表面から水を掛けても良いが、現場の中で、仮囲い用壁面部材１１の裏から水やりすることができ、保水マット１５の裏側に配置される押さえ部材１６側からホースなどを用いて行うと、押さえ部材１６の複数の孔１６Ａから水が浸透し、保水マット１５、緑化マット１４に水が漫透する。このように、押さえ部材１６によって裏面から水やりを可能としつつ、マットの押え込みが可能である。
【００４０】
また、給水された余分な水は、水受け１３に溜まり、保水マット１５が乾燥すると、水受け１３に溜まる水を保水マット１５が毛細管現象によって吸い上げて緑化マット１４へ給水することができる。したがって、潅水設備を設置せず、現場の人手によって水やりを行うことができる。
【００４１】
また、水受け１３を付け、排出口部１３Ａに排水ホースを接続し、所定の場所に排水するようにすることで、水が下に垂れ落ちることを防ぐことができる。
【００４２】
また、枠体１２の線材１２Ｂにプランタを引掛けることで花を飾ることも可能であり、現場の工事が終わると、仮囲い用壁面部材１１が解体され、必要なくなった緑化マット１４は例えば農場に持ち帰り、再度養生して使用できる。
【００４３】
さらに、仮囲い用壁面部材１１、枠体１２、水受け１３、押さえ部材１６は、仮囲いメーカーで運用し、通常の仮囲い用壁面部材と同じくリース品とすることができる。
【００４４】
［第２の実施の形態］
次に、第２の実施の形態を、図１０に基づいて説明する。図１０は仮囲い緑化パネルの断面図である。この第２の実施の形態は、図１乃至図９に示す第１の実施の形態の同じ構成は同じ符合を付して説明を省略する。この第２の実施の形態は、保水マット１５の上端部から水を供給する水供給装置３０を備え、この水供給装置３０は、給水カップ３１と、給水パイプ３２を有する。給水カップ３１は、保水マット１５の上端部の幅と同じ幅から供給するように形成され、また中央部から供給するように形成される。給水パイプ３２は、水道管に接続され、水道管から水道水を給水カップ３１に供給される。水道水の供給は、自動的に毎日の朝、あるいは夜に所定時間供給して停止するようにしてもよいし、常時少量づつ供給するようにしてもよい。
【００４５】
保水マット１５の上端部から水を供給する水供給装置３０を備えることで、保水マット１５の上部から水を自動的に供給し、潅水の回数を低減することができ、水の管理の手間を大幅に低減することができる。
【産業上の利用可能性】
【００４６】
この考案は、建築、土木などの工事現場を囲う仮設壁を緑化するのに好適な仮囲い緑化パネルに適用でき、簡単な構造で緑化面積を確保でき、現場で容易に組み立てを行うことができ、しかも植物が枯れた場合などには緑化マットを取り替が容易で、建築、土木などの工事現場を囲う仮設壁を緑化するのに好適である。
【符号の説明】
【００４７】
１０    仮囲い緑化パネル
１１    仮囲い用壁面部材
１１Ａ  開口部
１２    枠体
１２Ａ  メッシュ
１３    水受け
１４    緑化マット
１４Ａ  環状金具
１５    保水マット
１５Ａ  環状金具
１５Ｃ  下端部の切り込み
１６Ａ  複数の孔
１６    押さえ部材
２０Ａ  上側ボルト
２０Ｂ  第１の上側ナット
２０Ｃ  第２の上側ナット
２１Ａ  下側ボルト
２１Ｂ  第１の下側ナット
２１Ｃ  第２の下側ナット
【図１】
0003159897.tif 000003
【図２】
0003159897.tif 000004
【図３】
0003159897.tif 000005
【図４】
0003159897.tif 000006
【図５】
0003159897.tif 000007
【図６】
0003159897.tif 000008
【図７】
0003159897.tif 000009
【図８】
0003159897.tif 000010
【図９】
0003159897.tif 000011
【図１０】
0003159897.tif 000012